(57)【特許請求の範囲】
【請求項１】
冷凍室と冷蔵室から成る冷凍冷蔵庫箱体と、圧縮機と凝縮器と第一の減圧手段とを順次直列に接合し、前記第一の減圧手段と前記冷凍室内に設けた第二の蒸発器との間に前記冷蔵室内に設け入口部に冷媒制御弁を配置した第一の蒸発器と第二の減圧手段とを並列に接合した冷却システムと、前記第一の蒸発器の近傍に第一の冷気循環手段と前記第二の蒸発器の近傍に第二の冷気循環手段と除霜ヒータと、前記圧縮機と前記冷媒制御弁と前記第一の冷気循環手段と前記第二の冷気循環手段と前記除霜ヒータとを運転制御するシステム制御手段とからなり、前記システム制御手段の命令による第一の所定のタイミングで除霜ヒータの通電によって第二の蒸発器の除霜を行うとき圧縮機の運転を停止し冷媒制御弁を開とし第一の冷気循環手段を運転することを特徴とする冷凍冷蔵庫。
【請求項２】
第一の蒸発器近傍に補償ヒータを設け、システム制御手段の命令による第一の所定のタイミング及び第二の所定のタイミングで、前記補償ヒータを通電することを特徴とする請求項１記載の冷凍冷蔵庫。
【請求項３】
冷蔵室内の温度を検知する検知手段を設け、システム制御手段の命令による第一の所定のタイミング及び第二の所定のタイミングで、前記温度検知手段が所定温度を検知しているならば補償ヒータを通電することを特徴とする請求項１記載の冷凍冷蔵庫。
【発明の詳細な説明】
【０００１】
【発明の属する技術分野】
本発明は、冷蔵あるいは冷凍により保存を行う冷凍冷蔵庫の除霜に関するものである。
【０００２】
【従来の技術】
図１０に従来のこの種の冷蔵庫の一例として、特開平７−１５９０１４号公報に開示されている冷凍冷蔵庫の概略図を示す。
【０００３】
この冷凍冷蔵庫は冷凍冷蔵庫箱体１が冷凍室２と冷蔵室３に区切られている。冷凍室２の奥部には蒸発器４と庫内ファン５とが設置されている。蒸発器４によって冷媒を蒸発させることで冷凍室２内を冷却し、庫内ファン５で冷気を循環させる。
【０００４】
さらに蒸発器４の近傍には、付着する霜を除去するための除霜ヒータ６と除霜時の温度を検知する除霜温度検知手段７とが取り付けられている。
【０００５】
冷凍室２と冷蔵室３とをつなぐ冷気通路８に電動ダンパ９が設置され、電動ダンパ９の開閉動作によって冷凍室２からの冷気が冷蔵室３に循環される。
【０００６】
また、冷蔵室３の後背部には冷凍サイクルを構成する圧縮機１０が設置されている。
【０００７】
庫内ファン５と除霜ヒータ６と除霜温度検知手段７と電動ダンパ９と圧縮機１０の運転制御はシステム制御手段１１により行われる。
【０００８】
次に上記従来の構成の動作について説明する。
圧縮機１０の運転により、圧縮機１０より吐出された高温高圧の冷媒は、図示しない凝縮器により凝縮液化し、さらに、図示しない減圧手段にて減圧され、蒸発器４で蒸発気化し空気を冷却する。庫内ファン５が運転することで冷凍室２と冷蔵室３へと熱搬送が行われる。蒸発器４で気化した冷媒は、再び圧縮機１０に吸入される。
【０００９】
このような動作を行うことにより、冷凍室２と冷蔵室３とを冷却する。
このような冷却運転を続けると、蒸発器４を循環する空気に含まれる水分が、熱交換される際に霜として蒸発器４の表面に付着する。この着霜が進むと通風抵抗の増加による風速の低下や、霜層による蒸発器４の空気側熱伝達率の減少により蒸発器４の熱交換性能が低下し、充分な冷却運転が不可能となってくる。
【００１０】
この状態を防止するため定期的に除霜が行われる。除霜が開始されると、圧縮機１０が停止し除霜ヒータ６が通電される。除霜ヒータ６の通電により蒸発器４の表面に付着した霜を発熱により融解する。蒸発器４の表面に付着した霜が融解すると、除霜温度検知手段７は除霜が完了したことを所定温度（一般的には１０〜２０℃）以上になることで検知し、除霜ヒータ６の通電を停止する。その後、上記の通常の冷却運転に復帰する。
【００１１】
【発明が解決しようとする課題】
しかしながら上記のような冷凍冷蔵庫では、冷蔵室と冷凍室の両室内の空気が蒸発器を循環するため、蒸発器の表面に多量の霜が付着し、この多量の霜を融解するため除霜時間が長くなり、除霜ヒータの通電加熱量も大きくなり、発生する熱負荷が増大する。従って、発生する熱負荷により冷凍室内に貯蔵した食品の温度が一時的に大きく上昇するので食品の鮮度維持が短くなる。
【００１２】
しかも除霜終了後は冷凍室内温度も高くなっているため、除霜終了後の圧縮機の運転率も長くなり消費電力量の増加につながる。
【００１３】
また、蒸発器に付着する霜量が多いため、定期的に行われる除霜の間隔（積算時間）が比較的短くなり、単位時間内に行われる除霜の回数が多く、除霜により発生する熱負荷による冷凍室庫内温度の変動回数が多いので、冷凍室内の食品の鮮度維持が短くなる。
【００１４】
しかも、単位時間内に行われる除霜回数が多いため、冷凍室温度が頻繁に上昇し、圧縮機の運転率も高くなり消費電力量の増加につながる。
【００１５】
このように従来の冷凍冷蔵庫では、単一の蒸発器であるため蒸発器に付着する霜量が多く、除霜時間が長くなる。これにより除霜に伴う熱負荷の発生も多くなり、冷凍室内の食品の温度が上昇することで食品鮮度の維持が短く、併せて冷凍室内温度も高くなるため除霜終了後の圧縮機の運転時間が長くなり消費電力量が増加する。
【００１６】
また、蒸発器に付着する霜量が多いため、定期的に行われる除霜間の間隔（積算時間）が比較的短く、単位時間内に行われる除霜の回数が多くなる。これにより除霜に伴う熱負荷による冷凍室庫内温度の変動回数が多くなり、冷凍室内の食品の鮮度維持が短く、併せて単位時間内に行われる除霜回数が多いため、冷凍室庫内温度が頻繁に上昇し、圧縮機の運転率も高くなり消費電力量が増加するという課題を有していた。
【００１７】
本発明は以上のような従来例の問題点を解決するもので、蒸発器を冷蔵室に設けた第一の蒸発器と冷凍室に設けた第二の蒸発器に分割することで、特に第二の蒸発器に付着する霜量を少なくすることができ、それに伴って除霜時の冷凍室に対する温度上昇が低減され、冷凍室の食品温度をほぼ一定に保つことができる冷凍冷蔵庫を提供し、併せて、除霜による冷凍室庫内温度上昇の低減により消費電力量を低減することのできる冷凍冷蔵庫を提供することを目的とする。
【００１８】
【課題を解決するための手段】
この目的を達成するために本発明の冷凍冷蔵庫は、冷凍室と冷蔵室から成る冷凍冷蔵庫箱体と、圧縮機と凝縮器と第一の減圧手段とを順次直列に接合し、前記第一の減圧手段と前記冷凍室内に設けた第二の蒸発器との間に前記冷蔵室内に設け入口部に冷媒制御弁を配置した第一の蒸発器と第二の減圧手段とを並列に接合した冷却システムと、前記第一の蒸発器の近傍に第一の冷気循環手段と前記第二の蒸発器の近傍に第二の冷気循環手段と除霜ヒータとを設けてある。前記圧縮機と前記冷媒制御弁と前記第一の冷気循環手段と前記第二の冷気循環手段と前記除霜ヒータとを運転制御するシステム制御手段を設け、前記システム制御手段の命令による第一の所定のタイミングで前記除霜ヒータの通電によって第二の蒸発器の除霜を行うとき圧縮機の運転を停止し冷媒制御弁を開とし前記第一の冷気循環手段を運転することを特徴とする。
【００２１】
さらに、第一の蒸発器近傍に補償ヒータを設け、システム制御手段の命令による第一の所定のタイミング及び第二の所定のタイミングで、前記補償ヒータを通電することを特徴とする。
【００２２】
また、冷蔵室内の温度を検知する検知手段を設け、システム制御手段の命令による第一の所定のタイミング及び第二の所定のタイミングで、前記温度検知手段が所定温度を検知しているならば補償ヒータを通電することを特徴とする。
【００２３】
この本発明によれば、蒸発器を冷蔵室に設けた第一の蒸発器と冷凍室に設けた第二の蒸発器に分割することで、特に第二の蒸発器に付着する霜量を少なくすることができ除霜時間の短縮が計られる。これに伴い、冷凍室への熱負荷が減少することから除霜時における冷凍室の温度上昇が低減され、冷凍室内の食品温度の変動を抑えることができ、食品の鮮度を長く保つことができる。
【００２４】
また、冷凍室の温度上昇低減に伴い、除霜後の通常運転時における圧縮機の運転時間が短縮され消費電力量の低減が図られる。
【００２５】
さらに、第二の蒸発器に付着する霜量を少なくすることができるので、定期的に行われる除霜間の間隔（積算時間）を長くすることができる。これに伴い、単位時間内に行われる除霜の回数が減少することから、除霜により発生する熱負荷による冷凍室庫内温度の変動回数が減少し、食品の鮮度を長く保つことができる。
【００２６】
また、単位時間内に行われる除霜回数が減少することから、冷凍室庫内温度が上昇する回数も減少し、圧縮機の運転率も低くなり消費電力量の低減を図ることのできる冷凍冷蔵庫を提供できる。
【００３１】
【発明の実施の形態】
本発明の請求項１に記載の発明は、冷凍室と冷蔵室から成る冷凍冷蔵庫箱体と、圧縮機と凝縮器と第一の減圧手段とを順次直列に接合し、前記第一の減圧手段と前記冷凍室内に設けた第二の蒸発器との間に前記冷蔵室内に設け入口部に冷媒制御弁を配置した第一の蒸発器と第二の減圧手段とを並列に接合した冷却システムと、前記第一の蒸発器の近傍に第一の冷気循環手段と前記第二の蒸発器の近傍に第二の冷気循環手段と除霜ヒータと、前記圧縮機と前記冷媒制御弁と前記第一の冷気循環手段と前記第二の冷気循環手段と前記除霜ヒータとを運転制御するシステム制御手段とからなり、前記システム制御手段の命令による第一の所定のタイミングで除霜ヒータの通電によって第二の蒸発器の除霜を行うとき圧縮機の運転を停止し冷媒制御弁を開とし第一の冷気循環手段を運転することを特徴とするものである。
【００３２】
第二の蒸発器の除霜中、冷媒制御弁は開となっているため、除霜ヒータで温められた冷媒が第一の蒸発器に容易に流動し、これにより第一の蒸発器の除霜は、第一の蒸発器を構成する配管の内部から行われる。また、第二の蒸発器の除霜タイミングに合わせて第一の冷気循環手段を作動させることで、冷蔵室内のプラス温度の空気を第一の蒸発器に循環させることができ、第一の蒸発器に付着した霜を第一の蒸発器の外部から融解することができる。
【００３３】
すなわち、冷蔵室に設けた第一の蒸発器に付着した霜は、第一の蒸発器の内部と外部の両方から融解され、除霜を促進させることができる。加えて除霜時、高圧側からの比較的高温の冷媒が第一の蒸発器に流動することからも、第一の蒸発器が温められ、第一の蒸発器を構成する配管の内部から第一の蒸発器の除霜を促進させることができるという作用を有する。
【００３８】
本発明の請求項２に記載の発明は、第一の蒸発器近傍に補償ヒータを設け、システム制御手段の命令による第一の所定のタイミング及び第二の所定のタイミングで、前記補償ヒータを通電することを特徴とするものである。
【００３９】
冷蔵室の設定温度が低い場合や冬季など冷凍冷蔵庫を取り囲む外気温度が低温の場合、冷蔵室内の温度は低温（例えば０℃近傍）状態となる。この状態で第一の所定のタイミング及び第二の所定のタイミングにおいて第一の冷気循環手段で空気を循環しても冷蔵室内、特に第一の蒸発器の吸込側の空気温度が低温（例えば０℃近傍）の状態であり、第一の蒸発器に付着した霜は融解しない。
【００４０】
しかし、第一の所定のタイミング及び第二の所定のタイミングのとき、第一の蒸発器近傍に設けた補償ヒータを通電することにより、冷蔵室内温度、特に第一の蒸発器の吸込側の空気温度を第一の蒸発器に付着した霜を融解するのに十分可能な適正温度まで上昇させることで、冷蔵室内温度が低いときでも第一の蒸発器の除霜が確実にできるという作用を有する。
【００４１】
本発明の請求項３に記載の発明は、冷蔵室内の温度を検知する検知手段を設け、システム制御手段の命令による第一の所定のタイミング及び第二の所定のタイミングで、前記温度検知手段が所定温度を検知しているならば補償ヒータを通電することを特徴とするものである。
【００４２】
冷蔵室の設定温度が高い場合や夏期など冷凍冷蔵庫を取り囲む外気温度が高温の場合、冷蔵室内の温度は比較的高温（例えば５℃以上）状態となる。この状態で第一の所定のタイミング及び第二の所定のタイミングにおいて第一の冷気循環手段で冷蔵室内の空気を循環すれば、補償ヒータの通電が無くとも第一の蒸発器に付着した霜は融解する。しかし、冷蔵室の設定温度が低い場合や冬季など冷凍冷蔵庫を取り囲む外気温度が低温の場合、冷蔵室内の温度は低温（例えば０℃近傍）状態となる。この状態で第一の所定のタイミング及び第二の所定のタイミングにおいて第一の冷気循環手段で空気を循環しても冷蔵室内、特に第一の蒸発器の吸込側の空気温度が低温（例えば０℃近傍）の状態であり、第一の蒸発器に付着した霜は融解しない。
【００４３】
従って、第一の所定のタイミング及び第二の所定のタイミングのとき、温度検知手段が所定の温度（例えば０℃近傍）を検知しているときのみ補償ヒータを通電することにより、冷蔵室内温度、特に第一の蒸発器の吸込側の空気温度を第一の蒸発器に付着した霜を融解するのに十分可能な適正温度まで上昇させることで、冷蔵室内温度が低いときでも第一の蒸発器の除霜が確実にできる。
【００４４】
すなわち、冷蔵室内の温度が高い場合は第一の冷気循環手段の空気循環のみとし、冷蔵室内の温度が低い場合は第一の冷気循環手段の空気循環及び補償ヒータの通電を行うことにより、第一の蒸発器の除霜を効率良く確実に行うことができるという作用を有する。
【００４５】
以下、本発明の実施の形態について、図１から図９を用いて説明する。
（実施の形態１）
図１は本発明の参考例における冷凍冷蔵庫の断面概略図、図２は冷却システム概略図である。
【００４６】
断熱された少なくとも一つの冷凍室２と少なくとも一つの冷蔵室３からなる冷凍冷蔵庫箱体１と圧縮機１１と凝縮器１３と第一の減圧手段１４とを順次直列に接合し、第一の減圧手段１４と第二の蒸発器５との間に入口部に冷媒制御弁１６を配置した第一の蒸発器４と第二の減圧手段１５とを並列に接合して成る冷却システム１７を有している。
【００４７】
第一の蒸発器４は冷蔵室３内に設けられており、第一の蒸発器４の近傍には冷蔵室３の空気を循環する第一の冷気循環手段６を設けている。第一の冷気循環手段６の運転によって冷蔵室３の空気が第一の蒸発器４を通過するとき、空気は第一の蒸発器４で熱交換を行い、より低温の空気として冷蔵室３へ吐出される。
【００４８】
第二の蒸発器５は冷凍室２内に設けられており、第二の蒸発器５の近傍には冷蔵室３の空気を循環する第二の冷気循環手段７を設けている。第二の冷気循環手段７の運転によって冷凍室２の空気が第二の蒸発器５を通過するとき、空気は第二の蒸発器５で熱交換を行い、より低温の空気として冷凍室２へ吐出される。
【００４９】
さらに、第一の蒸発器４の近傍には、除霜時における第一の蒸発器４の温度を検知する第一の除霜温度検知手段８を設け、第二の蒸発器５の近傍には第二の蒸発器５の除霜のための除霜ヒータ１０と、除霜時における第二の蒸発器５の温度を検知する第二の除霜温度検知手段９とを設けてある。
【００５０】
システム制御手段１２は冷凍室２と冷蔵室３からの冷却要求を受け、圧縮機１１と第一の冷気循環手段６と第二の冷気循環手段７との運転制御を行い、且つ所定のタイミングにより圧縮機１１と冷媒制御弁１６と第一の冷気循環手段６と除霜ヒータ１０と第一の除霜温度検知手段８と第二の除霜温度検知手段９を運転制御するものである。
【００５１】
以上のように構成された本発明の冷凍冷蔵庫の請求項１の実施例の動作について説明を行う。
【００５２】
図３は本発明の参考例を示すタイムチャートである。
第二の蒸発器５の定期的な除霜を行うために、システム制御手段１２にあらかじめ積算時間として設定されている第一の所定のタイミングＴ１になったとき、システム制御手段１２は圧縮機１１と第二の冷気循環手段７とを停止状態に維持すると共に冷媒制御弁１６を閉とし、除霜ヒータ１０と第一の冷気循環手段６とを作動状態に維持し除霜を開始する。このときの除霜ヒータ１０の通電による加熱で、通常運転中に第二の蒸発器５の表面に付着した霜は融解される。
【００５３】
このとき、第一の冷気循環手段６の作動により冷蔵室３内のプラス温度の空気が第一の蒸発器４に循環される。これにより、通常運転中に第一の蒸発器４の表面に付着した霜はプラス温度の空気の循環をもって融解される。
【００５４】
除霜ヒータ１０の通電による加熱で第二の蒸発器５の表面の霜が融解すると、第二の蒸発器５の温度も上昇し、第二の除霜温度検知手段９は所定温度Ｋ２℃以上を検知する。所定温度Ｋ２℃は第二の蒸発器５に付着する霜が完全に融解する温度として設定する。
【００５５】
また、第一の冷気循環手段６の作動で冷蔵室３内のプラス温度の空気が蒸発器４に循環されることにより第一の蒸発器４の表面の霜が融解すると、第一の蒸発器４の温度も上昇し、第一の除霜温度検知手段８は所定温度Ｋの１℃以上を検知する。所定温度Ｋが１℃は第一の蒸発器４に付着する霜が完全に融解する温度として設定する。
【００５６】
このとき、第一の除霜温度検知手段８が除霜開始から所定温度Ｋが１℃以上を検知するのに要する時間をｔａ、第二の除霜温度検知手段９が除霜開始から所定温度Ｋが２℃以上を検知するのに要する時間をｔｂとする。
【００５７】
ｔａがｔｂより長い（ｔａ＞ｔｂ）場合は、システム制御手段１２は、まず第二の除霜温度検知手段９が所定温度Ｋ２℃以上を検知したという信号を受け、除霜ヒータ１０の運転を停止し第二の蒸発器５の除霜を終了すると共に冷媒制御弁１６を閉の状態に維持し、圧縮機１１と第二の冷気循環手段７を作動し、冷凍室２の冷却を開始する。
【００５８】
続いて第一の除霜温度検知手段８が所定温度Ｋが１℃以上を検知したという信号を受け、第一の蒸発器４の除霜を終了すると共に冷媒制御弁１６を開き、冷蔵室３の冷却も開始する。
【００５９】
ｔａがｔｂより短い（ｔａ＜ｔｂ）場合は、システム制御手段１２は、まず第一の除霜温度検知手段８が所定温度Ｋ１℃以上を検知したという信号を受け、第一の冷気循環手段６の運転を停止し、冷媒制御弁１６を閉の状態に維持し、第一の蒸発器４の除霜を終了する。続いて第二の除霜温度検知手段９が所定温度Ｋ２℃以上を検知したという信号を受け、除霜ヒータ１０の運転を停止し第二の蒸発器５の除霜を終了すると共に冷媒制御弁１６を開き、圧縮機１１と第一の冷気循環手段６と第二の冷気循環手段７を作動し、冷凍室２と冷蔵室３の冷却を開始する。
【００６０】
上記のように、蒸発器を冷蔵室３に設けた第一の蒸発器４と冷凍室２に設けた第二の蒸発器５に分割することで、特に第二の蒸発器５に付着する霜量を少なくすることができる。霜量減少により、除霜ヒータ１０による加熱時間が短縮され、冷凍室２への熱負荷が低減される。
【００６１】
これにより除霜時の冷凍室２内の温度上昇が低減されることから、冷凍室２内の食品の温度上昇も抑えることができ、食品の鮮度を長く保つことができる。併せて、冷凍室２内の温度上昇低減が図られた分、除霜後の通常運転時における圧縮機１１の運転時間が短縮され、消費電力量が低減する。
【００６２】
さらに、第二の蒸発器５に付着する霜量を少なくすることができるので、定期的に行われる除霜間の間隔（積算時間）を長くすることができ、単位時間内に行われる除霜の回数が減少する。これにより除霜により発生する熱負荷による冷凍室２の庫内温度の変動回数が減少し、食品の鮮度を長く保つことができる。併せて、単位時間内に行われる除霜回数が減少することから、圧縮機１１の運転率も低くなり消費電力量が低減する。
【００６３】
さらに、冷蔵室３内のプラス温度の空気を第一の蒸発器４に循環させることから、冷蔵室３内の温度分布が均温化され、食品の温度ムラが改善される。併せて除霜後の比較的高湿の空気を冷蔵室３内に循環させることから、冷蔵室３内は高湿化され食品の鮮度を高めることができる。
【００６４】
図４は本発明の請求項２の実施例を示すタイムチャートである。
【００６５】
システム制御手段１２の命令による第一の所定のタイミングＴ１で除霜ヒータ１０の通電によって第二の蒸発器５の除霜を行うとき圧縮機の運転１１を停止し冷媒制御弁１６を開とし、第一の冷気循環手段６を運転する。
【００６６】
このとき、冷媒制御弁１６は開の状態であるため第二の蒸発器５の除霜時に除霜ヒータ１０で温められた冷媒が第一の蒸発器４に容易に流動し、これにより第一の蒸発器４の除霜は、第一の蒸発器４を構成する配管の内部から行われる。
【００６７】
また、第二の蒸発器５の除霜タイミングに合わせて第一の冷気循環手段６を作動させることで、冷蔵室３内のプラス温度の空気を第一の蒸発器４に循環させることができ、第一の蒸発器４に付着した霜を第一の蒸発器４の外部から融解することができる。
【００６８】
すなわち、冷蔵室３内に設けた第一の蒸発器４に付着した霜は、第一の蒸発器４の内部と外部の両方から融解され、除霜を促進させることができる。加えて除霜時、高圧側からの比較的高温の冷媒が第一の蒸発器４に流動することからも、第一の蒸発器４が温められ、第一の蒸発器４を構成する配管の内部から第一の蒸発器４の除霜を促進することができる。
【００６９】
（実施の形態３）
図５は本発明の参考例を示すタイムチャートである。
【００７０】
第一の蒸発器４の定期的な除霜を行うために、システム制御手段１２に、第一の所定のタイミングＴ１を設定している積算時間よりもあらかじめ短い積算時間で設定された第二の所定タイミングＴ２になったとき、システム制御手段１２は圧縮機１１と第二の冷気循環手段７とを作動状態に維持すると共に冷媒制御弁１６を閉とし、第一の冷気循環手段６を作動状態に維持し、第一の蒸発器４の除霜を開始する。
【００７１】
このとき、第一の冷気循環手段６の作動により冷蔵室３内のプラス温度の空気が第一の蒸発器４に循環され、通常運転中に第一の蒸発器４の表面に付着した霜はプラス温度の空気をもって融解される。第一の蒸発器４に付着した霜が融解すると、第一の蒸発器４の温度も上昇し、システム制御手段１２は第一の除霜温度検知手段８が所定温度Ｋ１以上を検知したという信号を受け、第一の蒸発器４の除霜を終了すると共に冷媒制御弁１６を開き、冷蔵室３の冷却を開始する。
【００７２】
上記のように、冷蔵室３は冷凍室２に比べて高温多湿なため、冷蔵室３内に設けた第一の蒸発器４に付着する霜量は、冷凍室２に設けた第二の蒸発器５に付着する霜量よりも多く、特に梅雨期や夏期など冷凍冷蔵庫を取り囲む外気が高温多湿な場合や冷蔵室３のドア開閉が頻繁に行われる場合には、第一の蒸発器４は第二の蒸発器５よりも早く着霜による目詰まり状態となる。つまり、第１の蒸発器４は第一の所定のタイミングＴ１で除霜される以前に目詰まり状態となり、第一の蒸発器４の冷却能力が低下し、必要以上の電力量を消費する。また、食品に対しても十分な冷却がなされず悪影響である。
【００７３】
これを防止するため、第一の所定のタイミングをＴ１設定している積算時間よりも短い積算時間で設定された第二の所定のタイミングＴ２で、冷媒制御弁１６を閉とする。これより、冷却システム１７内を循環する冷媒は第一の蒸発器４へ循環しない。
【００７４】
このとき第一の蒸発器４の温度は冷蔵室３内の空気の温度の影響を受けて上昇し、この状態において第一の冷気循環手段６の運転により冷蔵室３内のプラス温度の空気を循環することで、第一の蒸発器４に付着した霜は融解され、異常着霜（目詰まりなど）は防止できる。これより第一の蒸発器４の冷却能力の低下を防止することができ必要以上の電力量を消費することがない。また、冷蔵室３の食品に対しても十分な冷却ができる。
【００７５】
また、冷媒制御弁１６を閉とすることで、冷媒は第二の減圧手段１５を経由して第二の蒸発器５に流動するため、冷凍室２は冷却状態が維持される。
【００７６】
（実施の形態４）
図６は本発明の請求項２の実施例を示す冷凍冷蔵庫の断面概略図、図７は本発明の請求項２の実施例を示すタイムチャートである。
【００７７】
冷蔵室３内に設けた第一の蒸発器４の近傍に補償ヒータ１８を設ける。システム制御手段１２の命令による第一の所定のタイミングＴ１及び第二の所定のタイミングＴ２において、補償ヒータ１８を通電する。
【００７８】
上記のように、冷蔵室３の設定温度が低い場合や冬季など冷凍冷蔵庫を取り囲む外気温度が低温の場合、冷蔵室３内の温度は低温（例えば０℃近傍）状態となる。この状態で第一の所定のタイミングＴ１及び第二の所定のタイミングＴ２において第一の冷気循環手段６で空気を循環しても冷蔵室３内、特に第一の蒸発器４の吸込側の空気温度が低温（例えば０℃近傍）の状態であり、第一の蒸発器４に付着した霜は融解しない。
【００７９】
しかし、このとき補償ヒータ１８を通電することにより、冷蔵室３内温度、特に第一の蒸発器４の吸込側の空気温度を第一の蒸発器４に付着した霜を融解するのに十分可能な適正温度まで上昇させることで、冷蔵室３内の温度が低いときでも第一の蒸発器４の除霜が確実にできる。
【００８０】
（実施の形態５）
図８は本発明の請求項３の実施例を示す冷凍冷蔵庫の断面概略図、図９は本発明の請求項３の実施例を示すタイムチャートである。
【００８１】
冷蔵室３内の温度を適正に検知できる任意の場所に、温度検知手段１９を設ける。システム制御手段１２の命令による第一の所定のタイミングＴ１及び第二の所定のタイミングＴ２において、温度検知手段１９が冷蔵室３内の所定温度Ｋ３以下を検知しているときのみ補償ヒータ１８を通電する。尚、所定の温度Ｋ３は第一の蒸発器４に付着した霜を第一の冷気循環手段６による空気循環のみでは融解することができない温度として設定する。
【００８２】
また、温度検知手段１９は第一の蒸発器４の吸込側の空気温度を検知するようにしてもよい。
【００８３】
上記のように、冷蔵室３の設定温度が高い場合や夏期など冷凍冷蔵庫を取り囲む外気温度が高温の場合、冷蔵室３内の温度は比較的高温（例えば５℃以上）状態となる。この状態で第一の所定のタイミングＴ１及び第二の所定のタイミングＴ２において第一の冷気循環手段６で冷蔵室３内の空気を循環すれば、補償ヒータ１８の通電が無くとも第一の蒸発器４に付着した霜は融解する。しかし、冷蔵室３の設定温度が低い場合や冬季など冷凍冷蔵庫を取り囲む外気温度が低温の場合、冷蔵室３内の温度は低温（例えば０℃近傍）状態となる。この状態で第一の所定のタイミングＴ１及び第二の所定のタイミングＴ２において第一の冷気循環手段６で空気を循環しても冷蔵室３内、特に第一の蒸発器４の吸込側の空気温度が低温（例えば０℃近傍）の状態であり、第一の蒸発器４に付着した霜は融解しない。
【００８４】
従って、第一の所定のタイミングＴ１及び第二の所定のタイミングＴ２のとき温度検知手段１９が所定の温度（例えば０℃近傍）を検知しているときのみ補償ヒータ１８を通電することにより、冷蔵室３内温度、特に第一の蒸発器４の吸込側の空気温度を第一の蒸発器４に付着した霜を融解するのに十分可能な適正温度まで上昇させることで、冷蔵室３内温度が低いときでも第一の蒸発器４の除霜が確実にできる。
【００８５】
すなわち、冷蔵室３内の温度が高い場合は第一の冷気循環手段６の空気循環のみとし、冷蔵室３内の温度が低い場合は第一の冷気循環手段６の空気循環及び補償ヒータ１８の通電を行うことにより、第一の蒸発器４の除霜を効率良く確実に行うことができる。
【００８９】
【発明の効果】
以上の説明から明らかなように本発明の冷凍冷蔵庫は、冷凍室と冷蔵室から成る冷凍冷蔵庫箱体と、圧縮機と凝縮器と第一の減圧手段とを順次直列に接合し、前記第一の減圧手段と前記冷凍室内に設けた第二の蒸発器との間に前記冷蔵室内に設け入口部に冷媒制御弁を配置した第一の蒸発器と第二の減圧手段とを並列に接合した冷却システムと、前記第一の蒸発器の近傍に第一の冷気循環手段と前記第二の蒸発器の近傍に第二の冷気循環手段と除霜ヒータとを設け、前記圧縮機と前記冷媒制御弁と前記第一の冷気循環手段と前記第二の冷気循環手段と前記除霜ヒータとを運転制御するシステム制御手段を設け、前記システム制御手段の命令による第一の所定のタイミングで除霜ヒータの通電によって第二の蒸発器の除霜を行うとき圧縮機の運転を停止し冷媒制御弁を開とし第一の冷気循環手段を運転するものである。
【００９０】
第二の蒸発器の除霜中、冷媒制御弁は開となっているため、除霜ヒータで温められた冷媒が第一の蒸発器に容易に流動し、これにより第一の蒸発器の除霜は、第一の蒸発器を構成する配管の内部から行われる。また、第二の蒸発器の除霜タイミングに合わせて第一の冷気循環手段を作動させることで、冷蔵室内のプラス温度の空気を第一の蒸発器に循環させることができ、第一の蒸発器に付着した霜を第一の蒸発器の外部から融解することができる。
【００９１】
すなわち、冷蔵室に設けた第一の蒸発器に付着した霜は、第一の蒸発器の内部と外部の両方から融解され、除霜を促進させることができる。加えて除霜時、高圧側からの比較的高温の冷媒が第一の蒸発器に流動することからも、第一の蒸発器が温められ、第一の蒸発器を構成する配管の内部から第一の蒸発器の除霜を促進させることができるという効果を有する。
【００９６】
さらに、第一の蒸発器近傍に補償ヒータを設け、システム制御手段の命令による第一の所定のタイミング及び第二の所定のタイミングで、補償ヒータを通電するものである。
【００９７】
冷蔵室の設定温度が低い場合や冬季など冷凍冷蔵庫を取り囲む外気温度が低温の場合、冷蔵室内の温度は低温（例えば０℃近傍）状態となり、第一の所定のタイミング及び第二の所定のタイミングにおいて第一の冷気循環手段で空気を循環しても第一の蒸発器に付着した霜は融解しない。しかし、第一の所定のタイミング及び第二の所定のタイミングのとき、第一の蒸発器近傍に設けた補償ヒータを通電することにより、冷蔵室内温度、特に第一の蒸発器の吸込側の空気温度を第一の蒸発器に付着した霜を融解するのに十分可能な適正温度まで上昇させることで、第一の蒸発器の除霜が確実にできるという効果を有する。
【００９８】
さらにまた、冷蔵室内の温度を検知する検知手段を設け、システム制御手段の命令による第一の所定のタイミング及び第二の所定のタイミングで、温度検知手段が所定温度を検知しているならば補償ヒータを通電するものである。
【００９９】
冷蔵室の設定温度が高い場合や夏期など冷凍冷蔵庫を取り囲む外気温度が高温の場合、冷蔵室内の温度は比較的高温（例えば５℃以上）状態となる。この状態で第一の所定のタイミング及び第二の所定のタイミングにおいて第一の冷気循環手段で冷蔵室内の空気を循環すれば、補償ヒータの通電が無くとも第一の蒸発器に付着した霜は融解する。しかし、冷蔵室の設定温度が低い場合や冬季など冷凍冷蔵庫を取り囲む外気温度が低温の場合、冷蔵室内の温度は低温（例えば０℃近傍）状態となる。この状態で第一の所定のタイミング及び第二の所定のタイミングにおいて第一の冷気循環手段で空気を循環しても冷蔵室内、特に第一の蒸発器の吸込側の空気温度が低温（例えば０℃近傍）の状態であり、第一の蒸発器に付着した霜は融解しない。
【０１００】
従って、第一の所定のタイミング及び第二の所定のタイミングのとき、温度検知手段が所定の温度（例えば０℃近傍）を検知しているときのみ補償ヒータを通電することにより、冷蔵室内温度、特に第一の蒸発器の吸込側の空気温度を第一の蒸発器に付着した霜を融解するのに十分可能な適正温度まで上昇させることで、冷蔵室内温度が低いときでも第一の蒸発器の除霜が確実にできる。
【０１０１】
すなわち、冷蔵室内の温度が高い場合は第一の冷気循環手段の空気循環のみとし、冷蔵室内の温度が低い場合は第一の冷気循環手段の空気循環及び補償ヒータの通電を行うことにより、第一の蒸発器の除霜を効率良く確実に行うことができるという効果を有する。
【図面の簡単な説明】
【図１】    本発明の参考例における冷凍冷蔵庫の断面図
【図２】    本発明の参考例における冷凍冷蔵庫の冷却システム図
【図３】    本発明の参考例を示すタイムチャート
【図４】    本発明の請求項１の実施例を示すタイムチャート
【図５】    本発明の参考例を示すタイムチャート
【図６】    本発明の請求項２の実施例における冷凍冷蔵庫の断面図
【図７】    本発明の請求項２の実施例を示すタイムチャート
【図８】    本発明の請求項３の実施例における冷凍冷蔵庫の断面図
【図９】    本発明の請求項３の実施例を示すタイムチャート
【図１０】  従来の冷蔵庫の断面概略図
【符号の説明】
１  冷凍冷蔵庫箱体
２  冷凍室
３  冷蔵室
４  第一の蒸発器
５  第二の蒸発器
６  第一の冷気循環手段
７  第二の冷気循環手段
８  第一の除霜温度検知手段
９  第二の除霜温度検知手段
１０  除霜ヒータ
１１  圧縮機
１２  システム制御手段
１３  凝縮器
１４  第一の減圧手段
１５  第二の減圧手段
１６  電磁弁
１７  冷却システム
１８  補償ヒータ
１９  温度検知手段
【図１】
0004174844.tif 000002
【図２】
0004174844.tif 000003
【図３】
0004174844.tif 000004
【図４】
0004174844.tif 000005
【図５】
0004174844.tif 000006
【図６】
0004174844.tif 000007
【図７】
0004174844.tif 000008
【図８】
0004174844.tif 000009
【図９】
0004174844.tif 000010
【図１０】
0004174844.tif 000011